(57)【要約】【課題】衿ぐりが身体から離れてしまうことを抑制することができる衣類を提供すること。【解決手段】ブラジャー２１とともに着用される上着１０であって、衿ぐり１５と、ブラジャー２１に連結される連結部１６と、を備え、ブラジャー２１は、バストの下縁部に沿って配置される土台部２３を備えており、連結部１６は、衿ぐり１５の下端部１５ａの近傍に取り付けられる基端部と、土台部２３に取り付けられる先端部１６ｃと、を備えた。【選択図】図３
2017115281.tif 000002
【特許請求の範囲】
【請求項１】
下着とともに着用される衣類であって、
衿ぐりと、
下着に連結される連結部と、を備え、
前記下着は、バストの下縁部に沿って配置される土台部を備えており、
前記連結部は、前記衿ぐり又は前記衿ぐりの近傍に取り付けられる第１部位と、前記土台部に取り付けられる第２部位と、を備えたことを特徴とする衣類。
【請求項２】
上着と下着とを備えた衣類であって、
前記上着と前記下着とを連結する連結部を備え、
前記上着は、衿ぐりを備えており、
前記下着は、バストの下縁部に沿って配置される土台部を備えており、
前記連結部は、前記土台部と、前記衿ぐり又は前記衿ぐりの近傍と、のうち、一方に取り付けられる第１部位と、他方に取り付けられる第２部位と、を備えたことを特徴とする衣類。
【請求項３】
前記連結部は、前記衿ぐりの下端部又は前記衿ぐりの下端部の近傍に取り付けられる請求項１又は請求項２に記載の衣類。
【請求項４】
上着とともに着用される衣類であって、
バストの下縁部に沿って配置される土台部と、
上着に連結される連結部と、を備え、
前記上着は、衿ぐりを備えており、
前記連結部は、前記土台部に取り付けられる第１部位と、前記衿ぐり又は前記衿ぐりの近傍に取り付けられる第２部位と、を備えたことを特徴とする衣類。
【発明の詳細な説明】
【技術分野】
【０００１】
この発明は、衣類に関するものである。
【背景技術】
【０００２】
従来から、衿ぐりをＶ字型やＵ字型に形成することによって、ファッション性を高めた上着などの衣類が提供されている。例えば、上着の着用者が前傾姿勢になった場合、上着の衿ぐりは、重力により下方へ撓むことによって、身体から離れてしまうことがある。このような場合、上着の衿ぐりから、下着や胸元などが他人から見えてしまう虞がある。
【０００３】
例えば、特許文献１には、ブラジャーの肩紐に固定される肩紐固定部と、上着の衿ぐりに固定される固定部と、これら２つの固定部を連結する連結部と、を備えたズレ防止具が開示されている。特許文献１に開示されているズレ防止具は、ブラジャーの肩紐と、上着の衿ぐりと、を連結することによって、上着の着用者が前傾姿勢になった場合に、上着の衿ぐりが身体から離れてしまうことを抑制している。
【先行技術文献】
【特許文献】
【０００４】
【特許文献１】特許第４７１４７９５号公報
【発明の概要】
【発明が解決しようとする課題】
【０００５】
しかしながら、特許文献１に開示されているズレ防止具は、ブラジャーの肩紐と、上着の衿ぐりと、を連結するものであるため、上着の衿ぐりを着用者の身体に引き寄せることが不十分となり、衿ぐりが身体から離れてしまうことを十分に抑制できない虞がある。
【０００６】
この発明の目的は、衿ぐりが身体から離れてしまうことを抑制することができる衣類を提供することである。
【課題を解決するための手段】
【０００７】
上記課題を解決する衣類は、下着とともに着用される衣類であって、衿ぐりと、下着に連結される連結部と、を備え、前記下着は、バストの下縁部に沿って配置される土台部を備えており、前記連結部は、前記衿ぐり又は前記衿ぐりの近傍に取り付けられる第１部位と、前記土台部に取り付けられる第２部位と、を備えたことを要旨とする。
【０００８】
上記課題を解決する衣類は、上着と下着とを備えた衣類であって、前記上着と前記下着とを連結する連結部を備え、前記上着は、衿ぐりを備えており、前記下着は、バストの下縁部に沿って配置される土台部を備えており、前記連結部は、前記土台部と、前記衿ぐり又は前記衿ぐりの近傍と、のうち、一方に取り付けられる第１部位と、他方に取り付けられる第２部位と、を備えたことを要旨とする。
【０００９】
上記衣類について、前記連結部は、前記衿ぐりの下端部又は前記衿ぐりの下端部の近傍に取り付けられるとよい。
上記課題を解決する衣類は、上着とともに着用される衣類であって、バストの下縁部に沿って配置される土台部と、上着に連結される連結部と、を備え、前記上着は、衿ぐりを備えており、前記連結部は、前記土台部に取り付けられる第１部位と、前記衿ぐり又は前記衿ぐりの近傍に取り付けられる第２部位と、を備えたことを要旨とする。
【発明の効果】
【００１０】
この発明によれば、衿ぐりが身体から離れてしまうことを抑制することができる。
【図面の簡単な説明】
【００１１】
【図１】（ａ）は、上着について正面から見た状態を示す図、（ｂ）は、上着を裏返した状態において、連結部を拡大して示す図。
【図２】図１（ｂ）に示す２−２線で切断したときの断面を示す図。
【図３】（ａ）〜（ｃ）は、上着の使用方法を示す図。
【図４】上着を着用した状態を示す図。
【図５】（ａ）は、第２実施形態の衣類について、正面から見た状態を示す図、（ｂ）は、同じく後ろ面から見た状態を示す図。
【発明を実施するための形態】
【００１２】
（第１実施形態）
以下、第１実施形態の衣類について説明する。
図１（ａ）に示すように、この実施形態の上着１０は、下着とともに着用される衣類である。上着１０は、前身頃１１、後ろ身頃１２、左袖１３、及び右袖１４を備えている。前身頃１１、後ろ身頃１２、左袖１３、及び右袖１４は、相互に縫合されている。前身頃１１は、衿ぐり１５を備えている。
【００１３】
例えば、衿ぐり１５の形状は、正面から見た状態において、左右の衿ぐり線が鋭角を形成するように交わっている左右対称なＶ字型である。衿ぐり１５の深さは、衿ぐり１５の幅よりも長い。衿ぐり１５の下端部１５ａは、Ｖ字型をなす衿ぐり１５の頂点にあたる部位であって、衿ぐり１５において最も深い位置にある部位である。
【００１４】
図１（ｂ）及び図２に示すように、上着１０は、連結部１６を備えている。連結部１６の全体としての形状は紐状であり、より詳しくは帯状である。後述するように、連結部１６は、上着１０と下着とを連結するために用いられる。
【００１５】
連結部１６は、帯状のテープ１７を備えている。テープ１７は、伸縮性を備えた材料製である。テープ１７は、長さ方向に沿って伸縮が可能である。テープ１７の第１端部１７ａは、下方へ折り返された状態でテープ１７のそれ自身に縫合（固定）されている。即ち、連結部１６は、基端部１６ａに第１ループ１６ｂを備えている。
【００１６】
連結部１６の基端部１６ａ（第１ループ１６ｂ）は、前身頃１１の裏面において、衿ぐり１５の下端部１５ａの下方且つ近傍に縫合（固定）されていることで、上着１０に取り付けられている。即ち、衿ぐり１５の下端部１５ａと、連結部１６の基端部１６ａとは、僅かに離間している。例えば、衿ぐり１５の下端部１５ａと基端部１６ａとの距離は、０ｃｍを超え５ｃｍ以下であり、好ましくは０ｃｍを超え１ｃｍ以下である。基端部１６ａは、上着１０に取り付けられる第１部位に相当する。
【００１７】
連結部１６は、連結部１６の長さを調節するための長さ調節部品１８を備えている。長さ調節部品１８は、テープ１７の幅方向に沿って延びている軸部１８ａと、２つの環状部１８ｂと、を備えている。テープ１７は、２つの環状部１８ｂに挿し通されている。テープ１７のうち、第１端部１７ａとは反対の第２端部１７ｂは、テープ１７を折り返した状態で軸部１８ａに固定されている。即ち、連結部１６は、先端部１６ｃに第２ループ１６ｄを備えている。連結部１６の長さは、長さ調節部品１８をテープ１７の長さ方向に沿ってスライドさせることにより、調節できる。
【００１８】
連結部１６は、鉤爪状であるフック１９を備えている。フック１９は、環状部１９ａを備えている。テープ１７は、環状部１９ａに挿し通された状態で、その第２端部１７ｂが長さ調節部品１８の軸部１８ａに固定されている。即ち、フック１９は、第２ループ１６ｄにある。
【００１９】
図１（ａ）に示すように、この実施形態の上着１０において、衿ぐり１５の下端部１５ａ及び連結部１６は、正面から見た状態において、肩幅方向における上着１０の中心線Ｌに重なっている。
【００２０】
次に、上着１０の使用方法について、その一例を説明する。以下の説明では、下着としてのブラジャー２１を着用しているものとして説明する。
ここで、ブラジャー２１について説明する。
【００２１】
図３及び図４に示すように、ブラジャー２１は、左右のバストをそれぞれ覆う一対のカップ部２２，２２を備えている。ブラジャー２１は、ブラジャー２１を着用した際に、バストの下縁部に沿って、且つ胴回り方向に沿って延びるように配置される土台部２３を備えている。土台部２３は、いわゆるアンダーベルトである。
【００２２】
土台部２３は、カップ部２２，２２を相互に連結するとともに、カップ部２２，２２を支持している。土台部２３は、カップ部２２，２２の間の前中心２３ａと、カップ部２２，２２の下縁部に連結された帯状のアンダー部２３ｂと、を備えている。アンダー部２３ｂは、ブラジャー２１の下縁部となる。
【００２３】
図４に示すように、ブラジャー２１は、胴回り方向における土台部２３の両端部のそれぞれに連結された一対のバック部２４，２４を備えている。バック部２４，２４の形状は、帯状である。ブラジャー２１は、各バック部２４，２４の先端部に、バック部２４，２４の先端部同士を連結するためのホック２５を備えている。また、ブラジャー２１は、一対の肩紐２６，２６を備えている。
【００２４】
ブラジャー２１を適正に着用した状態において、土台部２３（前中心２３ａ及びアンダー部２３ｂ）は、着用者の身体に密着する。同様に、ブラジャー２１を着用した状態において、バック部２４，２４及び肩紐２６，２６は、着用者の身体に密着する。
【００２５】
図３（ａ）に示すように、上着１０に首を通した状態で、連結部１６を身体と土台部２３（前中心２３ａ）との間に挿し通す。このとき、袖１３，１４に左右の腕を通しておくと好ましいが、通しておかなくてもよい。
【００２６】
図３（ｂ）に示すように、連結部１６を上方へ折り返すとともに、フック１９を連結部１６の第１ループ１６ｂに掛け止める。このとき、連結部１６の長さは、長さ調節部品１８をスライドさせることによって、連結部１６に弛みが生じないように調節できる。また、テープ１７の伸縮性によって僅かに張力が生じる程度に、連結部１６を短く調節してもよい。
【００２７】
なお、上述した手順とは逆に、連結部１６を上方へ折り返すとともに、連結部１６を身体と土台部２３（前中心２３ａ）との間に挿し通しつつ、フック１９を連結部１６の第１ループ１６ｂに掛け止めてもよい。このように、この実施形態では、フック１９を含む連結部１６の先端部１６ｃが、土台部２３に取り付けられる第２部位に相当する。
【００２８】
そして、図３（ｃ）に示すように、上着１０の裾を下げることにより、上着１０の着用を終える。このようにして、上着１０における衿ぐり１５の下端部１５ａは、衿ぐり１５や肩紐２６，２６よりもさらに下方に位置している土台部２３に連結される。また、衿ぐり１５の下端部１５ａは、身体に密着している土台部２３に連結される。
【００２９】
次に、作用と効果について説明する。
図４に示すように、衿ぐり１５の下端部１５ａは、連結部１６によって、ブラジャー２１の土台部２３へ向かって引き寄せられる。このため、この実施形態の上着１０では、衿ぐり１５が身体から離れるように、相対的に移動してしまうことが抑制される。
【００３０】
これにより、例えば、上着１０の着用者が前傾姿勢になったとしても、上着１０の衿ぐり１５が身体に密着した位置Ｐ１に保持され、身体から離れてしまうことが抑制される。したがって、衿ぐり１５から、ブラジャー２１や胸元が見えてしまうことが抑制される。
【００３１】
また、フック１９は、連結部１６の基端部１６ａにある第１ループ１６ｂに掛け止められる。このため、フック１９が下方へずり下がってしまうことで、連結部１６が意図せず弛んでしまうことが抑制される。したがって、上着１０の衿ぐり１５が身体に密着した位置Ｐ１に保持された状態が維持される。
【００３２】
また、例えば、フック１９を掛け止める部分として、ボタンなどを用いる場合に比して、連結部１６の基端部１６ａの厚みを抑え、衿ぐり１５の下端部１５ａが、浮き上がってしまうことを抑制できる。したがって、衿ぐり１５の美観を損なうことが抑制される。
【００３３】
従来の技術では、連結部１６を備えていなかったり、衿ぐり１５の下端部１５ａや左右のカップ部２２，２２よりも上方にある肩紐２６，２６と、衿ぐり１５と、を連結したりしていたため、衿ぐり１５を十分に引き寄せることができなかった。
【００３４】
その結果、従来の技術では、上着の着用者が前傾姿勢になると、前身頃１１が重力によって下方に撓んでしまい、衿ぐり１５が位置Ｐ２へと身体から離れてしまうことを十分に抑制できない。このような場合には、衿ぐり１５から、ブラジャー２１や胸元が見えてしまう虞があった。また、従来の技術では、衿ぐり１５を強く引き寄せようとすると、衿ぐり１５が上方や側方へ撓んでしまい、その形状を損なってしまう虞もある。
【００３５】
これに対して、この実施形態の上着１０では、衿ぐり１５と、衿ぐり１５よりも下方にある土台部２３とを連結するようになっている。特に、土台部２３には、ブラジャー２１の下縁部となるアンダー部２３ｂを含んでいる。このため、この実施形態では、衿ぐり１５を、ブラジャー２１の下縁部に向かってさらに引き寄せることができる。したがって、この実施形態の上着１０では、衿ぐり１５が身体から離れてしまうことをさらに抑制できる。
【００３６】
また、この実施形態の上着１０では、衿ぐり１５を下方に引き寄せるため、衿ぐり１５の形状が損なわれてしまうことも抑制できる。特に、正面から見た状態において、上着１０における衿ぐり１５の下端部１５ａと、連結部１６と、土台部２３の前中心２３ａとは、何れも上着１０の中心線Ｌ上又はその近傍にある。したがって、これらが全て中心線Ｌ上又はその近傍にない場合に比して、連結部１６により衿ぐり１５を引き寄せるときに、衿ぐり１５の形状が損なわれてしまうことを、さらに抑制できる。これにより、衿ぐり１５の美観を損なうことが抑制される。
【００３７】
（第２実施形態）
次に、第２実施形態の衣類について説明する。なお、以下の説明では、既に説明した実施形態と同様の構成については同一符号を付すなどし、重複する説明を省略又は簡略化する。
【００３８】
図５（ａ）及び図５（ｂ）に示すように、衣類としてのカップ内蔵型衣類３０は、上着１０と、下着としてのブラジャー２１と、を備えている。カップ内蔵型衣類３０において、上着１０とブラジャー２１とは一部又は全部が一体化されている。
【００３９】
ブラジャー２１のアンダー部２３ｂは、胴回り方向に沿って延びている帯状である。例えば、アンダー部２３ｂは、ゴムバンドであり、伸縮性を備えている。この実施形態のカップ内蔵型衣類３０では、第１実施形態と同様に、上着１０の衿ぐり１５を身体に密着した位置Ｐ１に保持し、身体から離れてしまうことを抑制できる。
【００４０】
（第３実施形態）
次に、第３実施形態の衣類について説明する。
この実施形態のブラジャー２１は、上着１０とともに着用される衣類である。ブラジャー２１は、連結部１６を備えている。連結部１６の基端部１６ａは、土台部２３のうち前中心２３ａに縫合（固定）されていることで、ブラジャー２１に取り付けられている。この実施形態において、連結部１６は、フック１９に代えて第２部位としてのクリップを備えているとよい。
【００４１】
この実施形態のブラジャー２１では、連結部１６のクリップを、衿ぐり１５の下端部１５ａや、その近傍に固定することで、上述した実施形態と同様に、上着１０の衿ぐり１５を身体に密着した位置Ｐ１に保持し、身体から離れてしまうことを抑制できる。
【００４２】
実施形態は上記に限定されず、例えば次のように変更してもよい。
・各実施形態において、第１ループ１６ｂは省略してもよい。この場合、フック１９は、連結部１６のそれ自身に掛け止めればよい。
【００４３】
・各実施形態において、衿ぐり１５の形状は、正面から見た状態において、丸型、角型、及びＵ字型などであってもよい。
・各実施形態において、連結部１６は、長さ調節部品１８を備えていなくてもよい。この場合、第２ループ１６ｄは省略してもよい。
【００４４】
・各実施形態において、連結部１６は、面ファスナーであってもよいし、紐であってもよい。
・各実施形態において、衣類は複数の連結部１６を備えていてもよい。
【００４５】
・第１実施形態及び第２実施形態において、連結部１６は、フック１９に代えてクリップを備えていてもよい。
・第２実施形態において、連結部１６は、第３実施形態のようにブラジャー２１に備えられていてもよい。
【００４６】
・各実施形態において、連結部１６のテープ１７は、伸縮性を備えていなくてもよい。
・各実施形態において、下着は、スリップ、カップ付きキャミソール、キャミソール、及びスポーツブラジャーであってもよい。
【００４７】
・各実施形態において、ブラジャー２１は、アンダー部２３ｂを備えていなくてもよい。前中心２３ａと、アンダー部２３ｂとは、兼用されていてもよい。ブラジャー２１は、肩紐２６，２６を備えていなくてもよい。
【００４８】
・各実施形態において、上着１０は、襟を備えていてもよい。この場合、例えば、連結部１６は、襟の裏面であって、衿ぐり１５の近傍に縫合されていてもよい。
・各実施形態において、連結部１６は、アンダー部２３ｂに取り付けられてもよい。
【００４９】
・第１実施形態及び第２実施形態において、連結部１６の基端部１６ａは、衿ぐり１５に固定されていてもよい。また、連結部１６の基端部１６ａは、衿ぐり１５又はその近傍であれば、衿ぐり１５の下端部１５ａ又はその近傍とは異なる部分に取り付けられてもよい。第３実施形態において、第２部位としてのクリップを固定する部分についても同様に変更できる。
【００５０】
・第１実施形態及び第２実施形態において、連結部１６は、上着１０に対して取り付けと取り外しとが可能に構成されていてもよい。例えば、上着１０は、前身頃１１の裏面において、衿ぐり１５の下端部１５ａ又はその近傍に、連結部１６を取り付けるための取付部を備えていてもよい。例えば、上着１０は、取付部としてのボタンを備える一方で、連結部１６は、基端部１６ａにボタン孔を備える。第３実施形態についても同様に、連結部１６は、ブラジャー２１に対して取り付けと取り外しとが可能に構成されていてもよい。
【００５１】
上記実施形態からは、次の技術的思想を把握することができる。
（イ）下着とともに着用される衣類であって、衿ぐりと、前記衣類と前記下着とを連結する連結部が取り付けられる取付部と、を備え、前記下着は、バストの下縁部に沿って配置される土台部を備えており、前記連結部は、前記取付部に取り付けられる第１部位と、前記土台部に取り付けられる第２部位と、を備えるとよい。
【符号の説明】
【００５２】
１０…上着、１５…衿ぐり、１５ａ…下部、１６…連結部、１６ａ…基端部、１６ｃ…先端部、１７…テープ、１９…フック、２１…ブラジャー、２３…土台部、３０…カップ内蔵型衣類。
【図１】
2017115281.tif 000003
【図２】
2017115281.tif 000004
【図３】
2017115281.tif 000005
【図４】
2017115281.tif 000006
【図５】
2017115281.tif 000007
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
下着とともに着用される衣類であって、
衿ぐりと、
下着に連結される連結部と、を備え、
前記下着は、バストの下縁部に沿って配置される土台部を備えており、
前記衿ぐりの形状は、Ｖ型、丸型、又はＵ型であり、
前記連結部は、前記衿ぐりの下端部又は前記衿ぐりの下端部の近傍に固定されている第１部位と、前記土台部に取り付けられる第２部位と、を備えていることを特徴とする衣類。
【請求項２】
上着と下着とを備えた衣類であって、
前記上着と前記下着とを連結する連結部を備え、
前記上着は、衿ぐりを備えており、
前記下着は、バストの下縁部に沿って配置される土台部を備えており、
前記衿ぐりの形状は、Ｖ型、丸型、又はＵ型であり、
前記連結部は、前記土台部と、前記衿ぐりの下端部又は前記衿ぐりの下端部の近傍と、のうち、一方に固定されている第１部位と、他方に取り付けられる第２部位と、を備えていることを特徴とする衣類。
【請求項３】
前記連結部は、長さを調節可能に構成されている請求項１又は請求項２に記載の衣類。
【請求項４】
下着とともに着用される衣類であって、
衿ぐりと、
下着に連結される連結部と、を備え、
前記下着は、バストの下縁部に沿って配置される土台部を備えており、
前記連結部は、前記衿ぐり又は前記衿ぐりの近傍に取り付けられる第１部位と、前記土台部に取り付けられる第２部位と、を備え、
前記連結部は、長さを調節可能に構成されていることを特徴とする衣類。
【請求項５】
上着と下着とを備えた衣類であって、
前記上着と前記下着とを連結する連結部を備え、
前記上着は、衿ぐりを備えており、
前記下着は、バストの下縁部に沿って配置される土台部を備えており、
前記連結部は、前記土台部と、前記衿ぐり又は前記衿ぐりの近傍と、のうち、一方に取り付けられる第１部位と、他方に取り付けられる第２部位と、を備え、
前記連結部は、長さを調節可能に構成されていることを特徴とする衣類。
【請求項６】
上着とともに着用される衣類であって、
バストの下縁部に沿って配置される土台部と、
上着に連結される連結部と、を備え、
前記上着は、衿ぐりを備えており、
前記連結部は、前記土台部に取り付けられる第１部位と、前記衿ぐり又は前記衿ぐりの近傍に取り付けられる第２部位と、を備え、
前記連結部は、長さを調節可能に構成されていることを特徴とする衣類。
【手続補正２】
【補正対象書類名】明細書
【補正対象項目名】０００７
【補正方法】変更
【補正の内容】
【０００７】
上記課題を解決する衣類は、下着とともに着用される衣類であって、衿ぐりと、下着に連結される連結部と、を備え、前記下着は、バストの下縁部に沿って配置される土台部を備えており、前記衿ぐりの形状は、Ｖ型、丸型、又はＵ型であり、前記連結部は、前記衿ぐりの下端部又は前記衿ぐりの下端部の近傍に固定されている第１部位と、前記土台部に取り付けられる第２部位と、を備えていることを要旨とする。
【手続補正３】
【補正対象書類名】明細書
【補正対象項目名】０００８
【補正方法】変更
【補正の内容】
【０００８】
上記課題を解決する衣類は、上着と下着とを備えた衣類であって、前記上着と前記下着とを連結する連結部を備え、前記上着は、衿ぐりを備えており、前記下着は、バストの下縁部に沿って配置される土台部を備えており、前記衿ぐりの形状は、Ｖ型、丸型、又はＵ型であり、前記連結部は、前記土台部と、前記衿ぐりの下端部又は前記衿ぐりの下端部の近傍と、のうち、一方に固定されている第１部位と、他方に取り付けられる第２部位と、を備えていることを要旨とする。
【手続補正４】
【補正対象書類名】明細書
【補正対象項目名】０００９
【補正方法】変更
【補正の内容】
【０００９】
上記衣類について、前記連結部は、長さを調節可能に構成されているとよい。
上記課題を解決する衣類は、下着とともに着用される衣類であって、衿ぐりと、下着に連結される連結部と、を備え、前記下着は、バストの下縁部に沿って配置される土台部を備えており、前記連結部は、前記衿ぐり又は前記衿ぐりの近傍に取り付けられる第１部位と、前記土台部に取り付けられる第２部位と、を備え、前記連結部は、長さを調節可能に構成されていることを要旨とする。
上記課題を解決する衣類は、上着と下着とを備えた衣類であって、前記上着と前記下着とを連結する連結部を備え、前記上着は、衿ぐりを備えており、前記下着は、バストの下縁部に沿って配置される土台部を備えており、前記連結部は、前記土台部と、前記衿ぐり又は前記衿ぐりの近傍と、のうち、一方に取り付けられる第１部位と、他方に取り付けられる第２部位と、を備え、前記連結部は、長さを調節可能に構成されていることを要旨とする。
上記課題を解決する衣類は、上着とともに着用される衣類であって、バストの下縁部に沿って配置される土台部と、上着に連結される連結部と、を備え、前記上着は、衿ぐりを備えており、前記連結部は、前記土台部に取り付けられる第１部位と、前記衿ぐり又は前記衿ぐりの近傍に取り付けられる第２部位と、を備え、前記連結部は、長さを調節可能に構成されていることを要旨とする。